(57)【要約】      （修正有）【課題】取り外しが容易で、内容物がこぼれ難く、衛生的である紐付き水切りネットを提供する。【解決手段】紐付き水切りネットは、水切りネットの上部に、持ち手（タブ等）４の付いた紐もしくは糸２を設けて、取り外す際に、持ち手（タブ等）４を摘んで引き上げる動作のみで取り外すことが出来る。紐もしくは糸２が引っ張られるときに水切りネットの口を萎めて狭められるようになる為、内容物（生ゴミ等）がこぼれ難い。【選択図】図１
0003234000.tif 000002
【実用新案登録請求の範囲】
【請求項１】
排水口カゴや三角コーナーカゴ等に設置して使用する水切りネット（ゴム付きやゴムなし問わず）の上部に、紐もしくは糸を取り付け、紐もしくは糸の端部に持ち手（タブ等）を設ける。紐もしくは糸の端部の持ち手（タブ等）は、水切りネットを設置した際に表側に出る様にネット上部の内側に設ける。排水口カゴや三角コーナーカゴ等に設置した水切りネットに設けている持ち手（タブ等）を手で摘んで持ち上げることで、水切りネットを取り外すことが出来る。水切りネットに設けている持ち手（タブ等）によって、片手でも取り外すことが可能になる。また、水切りネットを取り外すと同時に、取り付けている紐もしくは糸が引っ張られる事で、水切りネットの口が絞られて内容物がこぼれ難くなる。
【考案の詳細な説明】
【技術分野】
【０００１】本考案は、水切りネットの口に紐もしくは糸を付けた生活清掃用品に関するものである。
【背景技術】
【０００２】従来、排水口カゴや三角コーナー等に取り付けて使用する水切りネットがあった（特許文献１および２参照）。また、排水口に設置してゴミ受けとして使用するネットやカバーがあった（特許文献３および４参照）。水切りネットの脱落防止機能やフタ付きの水切りネットはあった（特許文献５および６、７参照）。
【先行技術文献】
【特許文献】
【０００３】
【特許文献１】実用新案登録第３０３２２７４号公報
【特許文献２】特開２０１３−２３７５６４号公報
【特許文献３】実用新案登録第３０５４５３０号公報
【特許文献４】実用新案登録第３０５９８６１号公報
【特許文献５】実用新案登録第３１９６６６２号公報
【特許文献６】実用新案登録第３１９８０４０号公報
【特許文献７】実用新案登録第３２０９２８８号公報
【考案の概要】
【考案が解決しようとする課題】
【０００４】そのために次のような問題点があった。
（イ）昨今、用いられている水切りネットの多くは、排水口カゴ等にかぶせるように使用されるため、取り外す時にネット本体が掴みづらく外し難いものが多かった。
（ロ）使用後の水切りネットは、一定の期間、生ゴミ等に晒されているため、衛生的にも取り扱いに注意が必要であった。
（ハ）両手で取り外すことが多くなるため、手が不自由な方には取り外しに時間がかかるものでもあった。
本考案は、これらの問題点を解決するためになされたものである。
【課題を解決するための手段】
【０００５】水切りネットの上部に紐もしくは糸を取り付けて、紐もしくは糸の端部には持ち手となるつまみやタブ等を設ける。
水切りネット上部に取り付ける紐もしくは糸は、ネットの口の円周の半分の長さにすることで、水切りネットの取り付ける際の妨げにならないようにできる。
紐もしくは糸は、水切りネットの上からやや下方に取り付ける。水切りネットにゴム紐等がある場合には、そのゴム紐よりも下部に取り付ける。
紐もしくは糸は、水切りネットの外側に起点とした固定部から二つの通し穴と持ち手側の通し穴を通すように取り付ける。
持ち手（タブ等）を持ち上げたときに、水切りネットの口が紐もしくは糸によって狭くしぼられた形で安定した状態になるため、内容物がこぼれ難くなる。
紐もしくは糸の起点部分（固定する部分）や通し穴は内容物（生ゴミ等）が入っている状態でも、その重さに耐えられるように、外れたり破れたりしないように注意する。
以上を特徴とする生活清掃用品である。
【考案の効果】
【０００６】持ち手（タブ等）があることで水切りネット本体が取り外しやすくなり、両手を使わずに片手でも取り外すことが可能になる。
持ち手（タブ等）を使って持ち上げたときに、紐もしくは糸が引っ張られる事で水切りネットの口が狭くしぼられ大きく開かないようになり、内容物がこぼれ難くなる。
水切りネットの持ち手（タブ等）のみに触れることで取り外しが可能となり、そのまま水切りネットを破棄することができる為、衛生的にもより安全に扱えるようになる。
【図面の簡単な説明】
【０００７】
【図１】  本考案の斜視図である。
【図２】  本考案を上から見た図である。
【図３】  本考案の側面図である。
【図４】  本考案の実施例を示した斜視図である。
【考案を実施するための形態】
【０００８】  以下、本考案を実施するための形態について説明する。
（イ）水切りネット本体（１）の上部外側に、紐もしくは糸（２）の一方の端を固定して取り付けて（＝起始部（固定部）（３））、もう片方の端には持ち手（タブ等）（４）を設ける。
（ロ）水切りネット本体（１）に起始部（固定部）（３）を設けて、反対側に当たる位置に通し穴（持ち手側）（５）を設ける。起始部（固定部）（３）と通し穴（持ち手側）（５）の中間には、二つの通し穴（６）を設ける。
（ハ）紐もしくは糸（２）は、起始部（固定部）（３）から水切りネット本体（１）の外側を巻くようにしていき、二つの通し穴（６）を使って内側へ通して再び外側へ出す。再度、外側を巻くようにしていき、通し穴（持ち手側）（５）から水切りネット本体（１）の内側へ通す様に取り付ける。
（ニ）紐もしくは糸（２）を取り付ける高さは、水切りネット本体（１）の上部からやや下に取り付けるようにし、ゴム紐（７）がある場合はそれよりも下方に取り付ける。
本考案は以上のような構成である。
本考案を使用する際は、排水口カゴ等に設置するときは紐もしくは糸（２）のある側を排水口カゴ等に掛けてから反対側を開く（ゴム紐（７）がある場合は伸ばす）ように設置する。水切りネット本体（１）を排水口カゴ等から取り外す際は、持ち手（タブ等）（４）をつかんで引き上げる。引き上げられるとき紐もしくは糸（２）が引っ張られると同時に水切りネット本体（１）の口が狭く絞られて内容物（生ゴミ等）がこぼれ難いようになる。持ち手（タブ等）をつかんで引く動作のみで取り外すことが可能なため、片手でも取り外すことが出来る。
【符号の説明】
【０００９】  １  水切りネット本体
２  紐もしくは糸
３  起点部（固定部）
４  持ち手（タブ等）
５  通し穴（持ち手側）
６  二つの通し穴
７  ゴム紐
【図１】
0003234000.tif 000003
【図２】
0003234000.tif 000004
【図３】
0003234000.tif 000005
【図４】
0003234000.tif 000006
【手続補正書】
【提出日】令和3年6月9日(2021.6.9)
【手続補正１】
【補正対象書類名】実用新案登録請求の範囲
【補正対象項目名】全文
【補正方法】変更
【補正の内容】
【実用新案登録請求の範囲】
【請求項１】
水切りネットの口（開口部）からやや下の位置もしくはゴム紐がある場合はそれよりも下の位置の外側に紐もしくは糸の一方の端を固定して取り付け（＝「起始部（固定部）」）、紐もしくは糸の他方の端には持ち手を設け、起始部（固定部）から反対側にあたる位置に通し穴（持ち手側）を設け、さらに起始部（固定部）と通し穴（持ち手側）の中間部分に二つの通し穴を設け、紐もしくは糸は起始部（固定部）から通し穴（持ち手側）へ向けて水切りネットの外側を巻くようにしていき、二つの通し穴の部分で内側へ通したのち再び外側へ出し、続けて水切りネットの外側を巻くようにしていき、通し穴（持ち手側）から水切りネットの内側へ通して出す様に取り付けた事を特徴とする紐付き水切りネット。